【手続補正書】
【提出日】平成17年12月28日(2005.12.28)
【手続補正１】
【補正対象書類名】明細書
【補正対象項目名】特許請求の範囲
【補正方法】変更
【補正の内容】
【特許請求の範囲】
【請求項１】  哺乳動物テロメラーゼタンパク質成分と会合して、酵素学的に活性なテロメラーゼホロ酵素を形成し得る、実質的に純粋なリボ核酸であって、プラスミドｐＧＲＮ３３（ＡＴＣＣ  ７５９２６）の約２．５ｋｂのＨｉｎｄＩＩＩ−ＳａｃＩ挿入片のコード領域によってコードされる配列を含むか、または、そのコード領域の少なくとも５０個の連続するヌクレオチドと少なくとも８０％または９５％の同一性を有する配列によってコードされる配列を含む、リボ核酸。
【請求項２】  請求項１に記載のリボ核酸であって、前記配列が
【化１】
2002272489.tif 000001
または、該配列の少なくとも５０個の連続するヌクレオチドと少なくとも８０％または９５％の同一性を有する配列である、リボ核酸。
【請求項３】  ヒトテロメラーゼのＲＮＡ成分である、請求項１または２に記載のリボ核酸。
【請求項４】  請求項１〜３のいずれかに記載のリボ核酸であって、配列
【化２】
2002272489.tif 000002
を含む、リボ核酸。
【請求項５】  請求項１〜４のいずれかに記載のリボ核酸をコードする、単離された核酸分子。
【請求項６】  請求項１〜４のいずれかに記載のリボ核酸をコードするヌクレオチド配列を含む、組換えプラスミド。
【請求項７】  請求項６に記載のプラスミドで形質転換された宿主細胞。
【請求項８】  請求項１〜４のいずれかに記載のリボ核酸の連続するヌクレオチドに対して相補的である１０個より大きい連続するヌクレオチドを含むオリゴヌクレオチドであって、哺乳動物のテロメラーゼ酵素活性を阻害する、オリゴヌクレオチド。
【請求項９】  請求項１〜４のいずれかに記載のリボ核酸の連続するヌクレオチドに対して相補的である、少なくとも１５個の連続するヌクレオチド、または、必要に応じて、少なくとも２０個の連続するヌクレオチドを含む、請求項８に記載のオリゴヌクレオチド。
【請求項１０】  請求項１〜４のいずれかに記載のリボ核酸の連続するヌクレオチドに対して相補的である、１０個より大きい連続するヌクレオチドからなる、請求項８に記載のオリゴヌクレオチド。
【請求項１１】  請求項１〜４のいずれかに記載のリボ核酸の連続するヌクレオチドに対して相補的である、前記少なくとも１５個の連続するヌクレオチド、または、必要に応じて、前記少なくとも２０個の連続するヌクレオチドからなる、請求項９に記載のオリゴヌクレオチド。
【請求項１２】  請求項８または９に記載のオリゴヌクレオチドであって、以下の配列
【化３】
2002272489.tif 000003
を有する、オリゴヌクレオチド。
【請求項１３】  テロメラーゼのＲＮＡ成分を特異的に切断するリボザイムである、請求項８〜１１のいずれかに記載のオリゴヌクレオチド。
【請求項１４】  例えば、Ｏ−メチルリボヌクレオチド、ホスホロチオエートヌクレオチドまたはメチルホスホネートヌクレオチドのような改変されたヌクレオチドアナログを含む、請求項８〜１２のいずれかに記載のオリゴヌクレオチド。
【請求項１５】  請求項８〜１４のいずれかに記載のオリゴヌクレオチドを含む、薬学的処方物。
【請求項１６】  医薬として使用するための、請求項８〜１４のいずれかに記載のオリゴヌクレオチド。
【請求項１７】  新形成を処置するための医薬の製造のための、請求項８〜１４のいずれかに記載のオリゴヌクレオチドの使用。
【請求項１８】  インビトロにおいて細胞中のテロメラーゼ活性を阻害する方法であって、該細胞を請求項８〜１４のいずれかに記載のオリゴヌクレオチドと接触する工程を包含する、方法。
【請求項１９】  請求項１〜４のいずれかに記載のリボ核酸の１０個より大きい連続するヌクレオチドと同一な配列または相補的な配列、あるいはこれら配列の相補物を含む、単離された、組換えの、または合成された、核酸であって、ここで該核酸は、以下、
ａ）哺乳動物好ましくはヒトのサンプル中のテロメラーゼＲＮＡまたはテロメラーゼＲＮＡコード配列と特異的にハイブリダイズするヌクレオチドプローブであって、必要に応じて検出可能な標識を含む、ヌクレオチドプローブ；あるいは、
ｂ）哺乳動物好ましくはヒトのサンプル中のテロメラーゼＲＮＡまたはテロメラーゼＲＮＡコード配列の特異的増幅反応を開始し得るヌクレオチドプライマー、
から選択される、核酸。
【請求項２０】  請求項１９に記載の核酸であって、ここで、前記核酸は、請求項１〜４のいずれかに記載のリボ核酸の少なくとも２０個の連続するヌクレオチドと同一な配列または相補的な配列、あるいはこれら配列の相補物を含む、核酸。
【請求項２１】  請求項１〜４のいずれかに記載のリボ核酸の１０個より大きい連続するヌクレオチドと同一な配列または相補的な配列あるいはこれら配列の相補物を含むオリゴヌクレオチドの：
ａ）哺乳動物好ましくはヒトのサンプル中のテロメラーゼＲＮＡまたはテロメラーゼＲＮＡコード配列に特異的なヌクレオチドプローブであって、必要に応じて検出可能な標識を含む、ヌクレオチドプローブ；あるいは、
ｂ）テロメラーゼＲＮＡまたはテロメラーゼＲＮＡコード配列の特異的増幅反応を開始し得るヌクレオチドプライマー、
としての使用。
【請求項２２】  請求項２１に記載の使用であって、ここで該オリゴヌクレオチドは、請求項１〜４のいずれかに記載のリボ核酸の少なくとも２０個の連続するヌクレオチドと同一な配列または相補的な配列あるいはこれら配列の相補物を含む、使用。
【請求項２３】  哺乳動物好ましくはヒトのサンプル中のテロメラーゼＲＮＡ成分のレベル、量、または存在を決定するための方法であって、該方法は、以下の工程：
ａ）該サンプルを、請求項１９または２０に記載のオリゴヌクレオチドプローブと、該オリゴヌクレオチドが該サンプル中のテロメラーゼＲＮＡと特異的にハイブリダイズする条件下で組み合わせる工程、および、結果として形成される任意のハイブリッドを検出する工程；あるいは
ｂ）該サンプルを、請求項１９または２０に記載のオリゴヌクレオチドプライマーと組み合わせる工程、増幅反応を行う工程、および結果として形成される任意の増幅産物を検出する工程、
を包含する、方法。
【請求項２４】  請求項２３に記載の方法であって、さらに、前記ハイブリッドまたは増幅産物を定量して、前記サンプル中のテロメラーゼＲＮＡ成分の濃度を決定する工程を包含する、方法。
【請求項２５】  患者から得られたサンプル中のテロメラーゼＲＮＡ成分を検出する方法であって、以下の工程、
請求項１９または２０に記載の標識されたオリゴヌクレオチドプローブまたはプライマーを、該患者から得られたサンプルに結合させる工程、および、
該サンプル中の該ＲＮＡに結合した標識物質の存在を検出する工程、
を包含する、方法。
【請求項２６】  サンプル中の癌細胞の存在を検出する方法であって、以下の工程、
請求項２３または２４に従って、該サンプル中のテロメラーゼＲＮＡ成分のレベルを決定する工程、および、
テロメラーゼＲＮＡ成分の病原性レベルの存在を、癌細胞の存在と相関させる工程、
を包含する方法。
【請求項２７】  サンプル中のヒトテロメラーゼＲＮＡ成分のレベル、量、または存在を決定するためのキットであって、該キットは、請求項１９または２０に記載のオリゴヌクレオチドプローブまたはプライマーを含み、そして、該キットは、必要に応じて一組の指示書を含む、キット。
【請求項２８】  テロメラーゼホロ酵素を単離する方法であって、以下の工程、
請求項１〜４のいずれかに記載のリボ核酸と相補的なオリゴヌクレオチドの１０個より大きい連続するヌクレオチドを含むアフィニティー因子を使用して、該ホロ酵素タンパク質を捕捉する工程、および
次に、該アフィニティー因子から、該タンパク質を回収する工程、
を包含する、方法。
【請求項２９】  請求項２８に記載の方法であって、ここで、前記アフィニティー因子は、固相支持体に結合されているか、または、固相支持体へのその後の固定化のために化学的に修飾されている、方法。
【請求項３０】  非ヒト哺乳動物種のテロメラーゼＲＮＡ成分を同定するための方法であって、該種の組織からの核酸を、請求項１７または１８に記載のオリゴヌクレオチドプライマーと接触する工程を包含する、方法。
【請求項３１】  転写調節領域を含む、単離された、組換えの、または、合成の核酸であって、以下：
（ａ）以下の配列
【化４】
2002272489.tif 000004
またはその相補物を含むか；
（ｂ）上記（ａ）の配列の少なくとも２５個の連続するヌクレオチドと同一である配列を含むか；
（ｃ）上記（ａ）の配列の少なくとも１００個の連続するヌクレオチドと少なくとも８０％または９５％同一である配列あるいはその相補物を含むか；
（ｄ）プラスミドｐＧＲＮ３３（ＡＴＣＣ  ７５９２６）の約２．５ｋｂのＨｉｎｄＩＩＩ−ＳａｃＩ挿入片と特異的にハイブリダイズするか；あるいは
（ｅ）ラムダクローン２８−１（ＡＴＣＣ  ７５９２５）のＳａｕＩＩＩＡ１−ＨｉｎｄＩＩＩ挿入片と特異的にハイブリダイズする、
という特徴の少なくとも１つを有する、核酸。
【請求項３２】  請求項３１に記載の核酸であって、ここで、転写調節領域は、該転写調節領域が作動可能に連結した遺伝子配列の転写を制御する、核酸。
【請求項３３】  請求項３１に記載のヌクレオチド配列を含む、組換えプラスミド。
【請求項３４】  請求項３３に記載のプラスミドで形質転換された宿主細胞。
【請求項３５】  相同性ターゲッティングによって破壊された少なくとも１つの機能的に破壊された哺乳動物テロメラーゼＲＮＡ成分対立遺伝子を有する、トランスジェニック非ヒト哺乳動物。